(57)【要約】      （修正有）【課題】作業時に上着として着用される安全ベストにおいて、ベスト正面に表示を簡易に保持することができるとともに、容易にその表示の交換ができ、さらに簡易に表示部材を調達、変更することができる安全ベストを提供する。【解決手段】作業時に上着として着用され、少なくとも左右前身頃、後身頃及び前記左右前身頃を胸の位置で着脱式に連結する略長方形状の表示部５を備える安全ベスト１において、前記表示部５が、裏シートに透明な表フィルム５ｆを重ね前記左右前身頃の左右方向に対向する重なりの両方又は一方を開口５ｂしたまま前記表フィルムの残りの辺を前記裏シートに留め、前記開口５ｂから前記表フィルム５ｆと裏シートの間に表示が記載されたシート状の表示部材５ｄを挿抜することを特徴とする安全ベスト１の構成とした。【選択図】図１
0003179257.tif 000002
【実用新案登録請求の範囲】
【請求項１】
作業時に上着として着用され、少なくとも左右前身頃、後身頃及び前記左右前身頃を胸の位置で着脱式に連結する略長方形状の表示部を備える安全ベストにおいて、
前記表示部が、
裏シートに透明な表フィルムを重ね前記左右前身頃方向に対向する重なりの両方又は一方を開口したまま残りの辺を前記裏シートに留め、前記開口から前記表フィルムと裏フィルムの間に表示が記載されたシート状の表示部材を挿抜することを特徴とする安全ベスト。
【請求項２】
前記表示部の一端部が左右前身頃の何れかに一方に縫着され、他端部が面ファスナで着脱自在に他方の前身頃に連結されることを特徴とする請求項１に記載の安全ベスト。
【考案の詳細な説明】
【技術分野】
【０００１】
本考案は、作業者が作業時に上着として着用する安全ベストにおいて、ベスト正面に表示を簡易に保持することができるとともに、容易にその表示の交換ができる安全ベストに関する。
【背景技術】
【０００２】
工事、パトロールなどの作業時に、作業者が上着として着用するベストの正面に、作業者氏名、担当作業名、目的、組織名などを表示することがあるが、従来はベストに直接表示を記載すること、表示を記載したテープをベストに貼付することが行われていた。
【０００３】
そのようにして表示をベストに施すと、そのベストは他の者、他の用途に使用できなくなり、作業者、組織毎、作業・使用目的毎にベストが必要であった。そのため、表示を着脱可能にした安全チョッキが提案されている（特許文献１）。
【０００４】
特許文献１の安全チョッキは、チョッキ全体を取り換えることなく、表示シートのみを取り換えて表示内容を容易に変更できるようにするため、チョッキ本体の表面に反射シート帯を固定して夜間被視認性を高めた安全チョッキにおいて、チョッキ本体又は反射シート帯の表面に面ファスナを固定し、表面に必要事項を表示し裏面に面ファスナを固定した表示シートを、チョッキ本体又は反射シート帯の表面の面ファスナに着脱自在に貼付するというものである。
【０００５】
しかしながら、特許文献１の安全チョッキにおいても、表面に必要事項を表示し裏面に面ファスナを固定した専用の表示シートが必要で、簡易に表示部材を調達、変更することができない。
【先行技術文献】
【特許文献】
【０００６】
【特許文献１】実用新案登録第３１７５４９９号公報
【考案の概要】
【考案が解決しようとする課題】
【０００７】
そこで、本考案は、作業時に上着として着用される安全ベストにおいて、ベスト正面に表示を簡易に保持することができるとともに、さらに簡易に表示部材を調達、変更することができる安全ベストを提供するとことを目的とする。
【課題を解決するための手段】
【０００８】
本考案は、上記の課題を解決するために、
（１）
作業時に上着として着用され、少なくとも左右前身頃、後身頃及び前記左右前身頃を胸の位置で着脱式に連結する略長方形状の表示部を備える安全ベストにおいて、
前記表示部が、
裏シートに透明な表フィルムを重ね前記左右前身頃方向に対向する重なりの両方又は一方を開口したまま残りの辺を前記裏シートに留め、前記開口から前記表フィルムと裏フィルムの間に表示が記載されたシート状の表示部材を挿抜することを特徴とする安全ベストの構成とした。
（２）
前記表示部の一端部が左右前身頃の何れかに一方に縫着され、他端部が面ファスナで着脱自在に他方の前身頃に連結されることを特徴とする（１）に記載の安全ベストの構成とした。
【考案の効果】
【０００９】
本考案は、表示部材を挿抜可能に保持する表示部を備えるため、安全ベストに表示を簡易に付加することができるとともに、表示部材の交換が容易で、異なる作業者でも同一の安全ベストを使用することができる。即ち安全ベストを複数人、多用な用途に使い回すことができ、経済的である。また表示部材として紙などのシートを使用できるので、表示部材の調達、変更も極めて容易である。
【図面の簡単な説明】
【００１０】
【図１】本考案であるの安全ベストの一実施形態の正面図である。
【図２】図１の安全ベストの背面図である。
【図３】本考案である安全ベストの左右前身頃（Ａ）及び（Ｂ）、表示部（Ｃ）の透視裏面図である。
【図４】本考案である安全ベストの後身頃の透視裏面図である。
【図５】図１の表示部における表示部材の挿抜時の正面拡大図である。
【図６】図３（Ｃ）の表示部のＡ−Ａ線拡大断面図である。
【図７】図４の背表示部のＢ−Ｂ線拡大断面図である。
【考案を実施するための形態】
【００１１】
以下、添付の図面を参照し、本考案の実施の形態について詳細に説明する。なお、本考案は実施例に限定されるものではない。
【実施例１】
【００１２】
図１〜図４に示すように、本考案の安全ベスト１は、少なくとも左右前身頃２、３と、後身頃４と、表示部５からなり、さらに反射シート６と、背表示部８を備え、工事、パトロールなどの作業時に作業者の上着として着用され、全体としてＶ字型をした所謂Ｖ字ベストである。さらに、腕部を備えてもよい。
【００１３】
左右前身頃２、３（併せて、単に「前身頃」ということもある。）及び後身頃４は、メッシュ生地を縫製してできている。もちろん、それらを形成する生地素材は、メッシュ生地に限定されるものではない。
【００１４】
それら生地の縁は、布のほぐれを防止するため端部保護生地９が縫着されている。もちろん、端部保護生地９を使用することなく、縁を単にかがり縫いでほぐれを防止してもよい。また、それぞれに反射シート６（図中のグレーに着色された部分）が縫着されている。
【００１５】
左前身頃２は、図１、図３（Ａ）に示すように、上部に肩部２ｄと、肩部２ｄからやや内側に傾きをもって垂下する左縦布２ａと、左縦布２ａの下部に左右に突出する左下端部２ｂ、右下端部２ｃとからなり、平面略Ｌ字からＴ字形状をしている。
【００１６】
左前身頃２の正面胸位置には、表示部５の一端が縫着されており、左右下端部２ｂ、２ｃの裏面には、面ファスナ７が縫着されている。左前身頃２は、左右下端部２ｂ、２ｃの面ファスナ７で後身頃４の対応する位置の面ファスナ７と、左下端部２ｃの面ファスナ７は、右前身頃３の対応する位置（後述の左下端部３ｂ正面）の面ファスナ７と、着脱自在に連結する。
【００１７】
右前身頃３は、図１、図３（Ｂ）に示すように、上部に肩部３ｄと、肩部３ｄからやや内側に傾きをもって垂下する右縦布３ａと、右縦布３ａの下部に左右に突出する左下端部３ｂ、右下端部３ｃとからなり、平面略Ｌ字からＴ字形状をしている。
【００１８】
左前身頃２の正面胸位置には、表示部５の面ファスナ７が着脱自在に連結する面ファスナ７が貼付され、左下端部３ｂの正面及び右下端部３ｃにも、面ファスナ７が縫着されている。左右下端部３ｂ、３ｃの面ファスナ７で後身頃４の対応する位置の面ファスナ７と着脱自在に連結する。
【００１９】
後身頃４は、図２、図４に示すように、図上部中央は下に湾曲し首が位置する襟部４ａと、左右前身頃２、３の肩部２ｄ、３ｄとそれぞれ縫糸１ａで縫着される左右肩部４ｂ、４ｃと、背中に位置する背部４ｆと、背部４ｆの左右湾曲部４ｇ、４ｈに連設して下端部に突出し、左前身頃２の左下端部２ｂと左下端部４ｄと、右前身頃３の右下端部３ｃと、面ファスナ７でそれぞれ着脱自在に連結する左右下端部４ｅとからなる。
【００２０】
前身頃の肩部２ｄ、３ｄと後身頃４の左右肩部４ｂ、４ｃは、縫着でなく、面ファスナなどによって着脱自在に連結してもよい。
【００２１】
表示部５は、図１、図３（Ｃ）、図５、６に示すように、表フィルム５ｆと、裏シート５ｇと、表示５ｅが記載された表示部材５ｄと、裏シート５ｇに貼付した面ファスナ７と、表フィルム５ｆを重ねた上で裏シート５ｇの外縁部に縫糸５ｈで縫着した縁布５ｃと、からなる。
【００２２】
表示部５の一端が左前身頃２に縫着され、他端は右前身頃３の対応する位置の面ファスナ７に着脱自在に貼付され、左右前身頃２、３を連結し、左右前身頃２、３の開き止めであるとともに、表示部材５ｄを保持するものである。
【００２３】
表フィルム５ｆの図中上下の幅は裏シート５ｇと略同じで、左右の幅は裏シート５ｇより短く、表示５ｅが視認されるよう、透明なプラスチックフィルムである。裏シート５ｇに重ねられ、上下の辺で裏シート５ｇと縫着する。表フィルム５ｆと裏シート５ｇの左右の辺は開口５ｂする。  
【００２４】
裏シート５ｇは、表フィルム５ｆと同じ素材であっても、そうでなくてもよい。表示部材５ｄの挿抜を阻害しない素材で、表フィルム５ｆとともに開口５ｂ及びすき間５ａを形成すればよい。そして、裏シート５ｇの一端が左前身頃２に縫着される。
【００２５】
表示部材５ｄは、開口５ｂから挿抜できる素材のシート状であれば、紙、台紙、プラスチックフィルム・プレート、その他素材が採用できる。家庭用プリンターで印字できる素材であれば、調達が極めて容易である。また、紙に印字してプラスチックプレートなどに貼付すれば、開口５ｂからの表示部材５ｄの挿抜が容易になる。
【００２６】
表示５ｅは、ここでは、作用者の作業種目である「火気使用者」としたが、通常安全ベスト１の表意としては、使用目的、作業種目、氏名、組織名など、対外的に告知する内容が記載される。表示５ｅの内容は、特に限定されるものではない。
【００２７】
縁布５ｃは、表フィルム５ｆと裏シート５ｇの２辺を固定するとともに、端部による怪我を防ぐことも兼ねる。端部保護生地９と同じ素材でよい。
【００２８】
このようにしてなる表示部５は、表フィルム５ｆの図中左右両端部に表示部材５ｄを挿抜するための開口５ｂが形成されるとともに、表フィルム５ｆと裏シート５ｇとの間５ａに表示部材５ｄが保持されるスペースが形成される。
【００２９】
表示部５と前身頃の着脱自在の連結は、面ファスナ７によらず、ボタン式であってもよい。また、当然に、表示部５の前身頃への縫着及び面ファスナ７による連結は、ここに示す例と左右逆であってもよい。
【００３０】
また、表示部５の開口５ｂは、ここでは表フィルム５ｆの図の左右両辺としたが、表フィルム５ｆの四辺の内、少なくとも一辺が開口していればよい。
【００３１】
反射シート６は、光りを反射する素材で、例えば夜間ドライバーに作業者の位置を知らせるなど、注意喚起のためものである。左右前身頃２、３、後身頃４の生地に、縫着するなどして生地に固定する。
【００３２】
背表示部８は、図２に示すように、後身頃４の背中位置に設けられる。背表示部８は、図７に示すように、後身頃４の背部４ｆに上下二辺部を縫糸８ｂで縫着し、左右辺部を開口８ｃした略長方形の透明なフィルム８ａと、開口８ｃから挿抜可能に後身頃４とフィルム８ａとの間８ｆに保持される表示８ｅが記載された表示部材８ｄと、からなる。表示部材８ｄ及び表示８ｅは、表示部５の表示部材５ｄ及び表示５ｅと同様で、同様に作製すればよい。
【符号の説明】
【００３３】
１    安全ベスト
１ａ  縫糸
２    左前身頃
２ａ  左縦布
２ｂ  左下端部
２ｃ  右下端部
２ｄ  肩部
３    右前身頃
３ａ  右縦布
３ｂ  左下端部
３ｃ  右下端部
３ｄ  肩部
４    後身頃
４ａ  襟部
４ｂ  左肩部
４ｃ  右肩部
４ｄ  左下端部
４ｅ  右下端部
４ｆ  背部
４ｇ  左湾曲部
４ｈ  右湾曲部
５    表示部
５ａ  間
５ｂ  開口
５ｃ  縁布
５ｄ  表示部材
５ｅ  表示
５ｆ  表フィルム
５ｇ  裏シート
５ｈ  縫糸
６    反射シート
７    面ファスナ
８    背表示部
８ａ  フィルム
８ｂ  縫糸
８ｃ  開口
８ｄ  表示部材
８ｅ  表示
８ｆ  間
９    端部保護生地
【図１】
0003179257.tif 000003
【図２】
0003179257.tif 000004
【図３】
0003179257.tif 000005
【図４】
0003179257.tif 000006
【図５】
0003179257.tif 000007
【図６】
0003179257.tif 000008
【図７】
0003179257.tif 000009
【手続補正書】
【提出日】平成24年8月17日(2012.8.17)
【手続補正１】
【補正対象書類名】明細書
【補正対象項目名】全文
【補正方法】変更
【補正の内容】
【考案の詳細な説明】
【技術分野】
【０００１】
本考案は、作業者が作業時に上着として着用する安全ベストにおいて、ベスト正面に表示を簡易に保持することができるとともに、容易にその表示の交換ができる安全ベストに関する。
【背景技術】
【０００２】
工事、パトロールなどの作業時に、作業者が上着として着用するベストの正面に、作業者氏名、担当作業名、目的、組織名などを表示することがあるが、従来はベストに直接表示を記載すること、表示を記載したテープをベストに貼付することが行われていた。
【０００３】
そのようにして表示をベストに施すと、そのベストは他の者、他の用途に使用できなくなり、作業者、組織毎、作業・使用目的毎にベストが必要であった。そのため、表示を着脱可能にした安全チョッキが提案されている（特許文献１）。
【０００４】
特許文献１の安全チョッキは、チョッキ全体を取り換えることなく、表示シートのみを取り換えて表示内容を容易に変更できるようにするため、チョッキ本体の表面に反射シート帯を固定して夜間被視認性を高めた安全チョッキにおいて、チョッキ本体又は反射シート帯の表面に面ファスナを固定し、表面に必要事項を表示し裏面に面ファスナを固定した表示シートを、チョッキ本体又は反射シート帯の表面の面ファスナに着脱自在に貼付するというものである。
【０００５】
しかしながら、特許文献１の安全チョッキにおいても、表面に必要事項を表示し裏面に面ファスナを固定した専用の表示シートが必要で、簡易に表示部材を調達、変更することができない。
【先行技術文献】
【特許文献】
【０００６】
【特許文献１】実用新案登録第３１７５４９９号公報
【考案の概要】
【考案が解決しようとする課題】
【０００７】
そこで、本考案は、作業時に上着として着用される安全ベストにおいて、ベスト正面に表示を簡易に保持することができるとともに、さらに簡易に表示部材を調達、変更することができる安全ベストを提供するとことを目的とする。
【課題を解決するための手段】
【０００８】
本考案は、上記の課題を解決するために、
（１）
作業時に上着として着用され、少なくとも左右前身頃、後身頃及び前記左右前身頃を胸の位置で着脱式に連結する略長方形状の表示部を備える安全ベストにおいて、
前記表示部が、
裏シートに透明な表フィルムを重ね前記左右前身頃の左右方向に対向する重なりの両方又は一方を開口したまま前記表フィルムの残りの辺を前記裏シートに留め、前記開口から前記表フィルムと裏シートの間に表示が記載されたシート状の表示部材を挿抜することを特徴とする安全ベストの構成とした。
（２）
前記表示部の一端部が左右前身頃の何れかに一方に縫着され、他端部が面ファスナで着脱自在に他方の前身頃に連結されることを特徴とする（１）に記載の安全ベストの構成とした。
【考案の効果】
【０００９】
本考案は、表示部材を挿抜可能に保持する表示部を備えるため、安全ベストに表示を簡易に付加することができるとともに、表示部材の交換が容易で、異なる作業者でも同一の安全ベストを使用することができる。即ち安全ベストを複数人、多用な用途に使い回すことができ、経済的である。また表示部材として紙などのシートを使用できるので、表示部材の調達、変更も極めて容易である。
【図面の簡単な説明】
【００１０】
【図１】本考案であるの安全ベストの一実施形態の正面図である。
【図２】図１の安全ベストの背面図である。
【図３】本考案である安全ベストの左右前身頃（Ａ）及び（Ｂ）、表示部（Ｃ）の透視裏面図である。
【図４】本考案である安全ベストの後身頃の透視裏面図である。
【図５】図１の表示部における表示部材の挿抜時の正面拡大図である。
【図６】図３（Ｃ）の表示部のＡ−Ａ線拡大断面図である。
【図７】図４の背表示部のＢ−Ｂ線拡大断面図である。
【考案を実施するための形態】
【００１１】
以下、添付の図面を参照し、本考案の実施の形態について詳細に説明する。なお、本考案は実施例に限定されるものではない。
【実施例１】
【００１２】
図１〜図４に示すように、本考案の安全ベスト１は、少なくとも左右前身頃２、３と、後身頃４と、表示部５からなり、さらに反射シート６と、背表示部８を備え、工事、パトロールなどの作業時に作業者の上着として着用され、全体としてＶ字型をした所謂Ｖ字ベストである。さらに、腕部を備えてもよい。
【００１３】
左右前身頃２、３（併せて、単に「前身頃」ということもある。）及び後身頃４は、メッシュ生地を縫製してできている。もちろん、それらを形成する生地素材は、メッシュ生地に限定されるものではない。
【００１４】
それら生地の縁は、布のほぐれを防止するため端部保護生地９が縫着されている。もちろん、端部保護生地９を使用することなく、縁を単にかがり縫いでほぐれを防止してもよい。また、それぞれに反射シート６（図中のグレーに着色された部分）が縫着されている。
【００１５】
左前身頃２は、図１、図３（Ａ）に示すように、上部に肩部２ｄと、肩部２ｄからやや内側に傾きをもって垂下する左縦布２ａと、左縦布２ａの下部に左右に突出する左下端部２ｂ、右下端部２ｃとからなり、平面略Ｌ字からＴ字形状をしている。
【００１６】
左前身頃２の正面胸位置には、表示部５の一端が縫着されており、左右下端部２ｂ、２ｃの裏面には、面ファスナ７が縫着されている。左前身頃２は、左右下端部２ｂ、２ｃの面ファスナ７で後身頃４の対応する位置の面ファスナ７と、左下端部２ｃの面ファスナ７は、右前身頃３の対応する位置（後述の左下端部３ｂ正面）の面ファスナ７と、着脱自在に連結する。
【００１７】
右前身頃３は、図１、図３（Ｂ）に示すように、上部に肩部３ｄと、肩部３ｄからやや内側に傾きをもって垂下する右縦布３ａと、右縦布３ａの下部に左右に突出する左下端部３ｂ、右下端部３ｃとからなり、平面略Ｌ字からＴ字形状をしている。
【００１８】
左前身頃２の正面胸位置には、表示部５の面ファスナ７が着脱自在に連結する面ファスナ７が貼付され、左下端部３ｂの正面及び右下端部３ｃにも、面ファスナ７が縫着されている。左右下端部３ｂ、３ｃの面ファスナ７で後身頃４の対応する位置の面ファスナ７と着脱自在に連結する。
【００１９】
後身頃４は、図２、図４に示すように、図上部中央は下に湾曲し首が位置する襟部４ａと、左右前身頃２、３の肩部２ｄ、３ｄとそれぞれ縫糸１ａで縫着される左右肩部４ｂ、４ｃと、背中に位置する背部４ｆと、背部４ｆの左右湾曲部４ｇ、４ｈに連設して下端部に突出し、左前身頃２の左下端部２ｂと左下端部４ｄと、右前身頃３の右下端部３ｃと、面ファスナ７でそれぞれ着脱自在に連結する左右下端部４ｅとからなる。
【００２０】
前身頃の肩部２ｄ、３ｄと後身頃４の左右肩部４ｂ、４ｃは、縫着でなく、面ファスナなどによって着脱自在に連結してもよい。
【００２１】
表示部５は、図１、図３（Ｃ）、図５、６に示すように、表フィルム５ｆと、裏シート５ｇと、表示５ｅが記載された表示部材５ｄと、裏シート５ｇに貼付した面ファスナ７と、表フィルム５ｆを重ねた上で裏シート５ｇの外縁部に縫糸５ｈで縫着した縁布５ｃと、からなる。
【００２２】
表示部５の一端が左前身頃２に縫着され、他端は右前身頃３の対応する位置の面ファスナ７に着脱自在に貼付され、左右前身頃２、３を連結し、左右前身頃２、３の開き止めであるとともに、表示部材５ｄを保持するものである。
【００２３】
表フィルム５ｆの図中上下の幅は裏シート５ｇと略同じで、左右の幅は裏シート５ｇより短く、表示５ｅが視認されるよう、透明なプラスチックフィルムである。裏シート５ｇに重ねられ、上下の辺で裏シート５ｇと縫着する。表フィルム５ｆと裏シート５ｇの左右の辺は開口５ｂする。  
【００２４】
裏シート５ｇは、表フィルム５ｆと同じ素材であっても、そうでなくてもよい。表示部材５ｄの挿抜を阻害しない素材で、表フィルム５ｆとともに開口５ｂ及びすき間５ａを形成すればよい。そして、裏シート５ｇの一端が左前身頃２に縫着される。
【００２５】
表示部材５ｄは、開口５ｂから挿抜できる素材のシート状であれば、紙、台紙、プラスチックフィルム・プレート、その他素材が採用できる。家庭用プリンターで印字できる素材であれば、調達が極めて容易である。また、紙に印字してプラスチックプレートなどに貼付すれば、開口５ｂからの表示部材５ｄの挿抜が容易になる。
【００２６】
表示５ｅは、ここでは、作用者の作業種目である「火気使用者」としたが、通常安全ベスト１の表意としては、使用目的、作業種目、氏名、組織名など、対外的に告知する内容が記載される。表示５ｅの内容は、特に限定されるものではない。
【００２７】
縁布５ｃは、表フィルム５ｆと裏シート５ｇの２辺を固定するとともに、端部による怪我を防ぐことも兼ねる。端部保護生地９と同じ素材でよい。
【００２８】
このようにしてなる表示部５は、表フィルム５ｆの図中左右両端部に表示部材５ｄを挿抜するための開口５ｂが形成されるとともに、表フィルム５ｆと裏シート５ｇとの間５ａに表示部材５ｄが保持されるスペースが形成される。
【００２９】
表示部５と前身頃の着脱自在の連結は、面ファスナ７によらず、ボタン式であってもよい。また、当然に、表示部５の前身頃への縫着及び面ファスナ７による連結は、ここに示す例と左右逆であってもよい。
【００３０】
また、表示部５の開口５ｂは、ここでは表フィルム５ｆの図の左右両辺としたが、表フィルム５ｆの四辺の内、少なくとも一辺が開口していればよい。
【００３１】
反射シート６は、光りを反射する素材で、例えば夜間ドライバーに作業者の位置を知らせるなど、注意喚起のためものである。左右前身頃２、３、後身頃４の生地に、縫着するなどして生地に固定する。
【００３２】
背表示部８は、図２に示すように、後身頃４の背中位置に設けられる。背表示部８は、図７に示すように、後身頃４の背部４ｆに上下二辺部を縫糸８ｂで縫着し、左右辺部を開口８ｃした略長方形の透明なフィルム８ａと、開口８ｃから挿抜可能に後身頃４とフィルム８ａとの間８ｆに保持される表示８ｅが記載された表示部材８ｄと、からなる。表示部材８ｄ及び表示８ｅは、表示部５の表示部材５ｄ及び表示５ｅと同様で、同様に作製すればよい。
【符号の説明】
【００３３】
１    安全ベスト
１ａ  縫糸
２    左前身頃
２ａ  左縦布
２ｂ  左下端部
２ｃ  右下端部
２ｄ  肩部
３    右前身頃
３ａ  右縦布
３ｂ  左下端部
３ｃ  右下端部
３ｄ  肩部
４    後身頃
４ａ  襟部
４ｂ  左肩部
４ｃ  右肩部
４ｄ  左下端部
４ｅ  右下端部
４ｆ  背部
４ｇ  左湾曲部
４ｈ  右湾曲部
５    表示部
５ａ  間
５ｂ  開口
５ｃ  縁布
５ｄ  表示部材
５ｅ  表示
５ｆ  表フィルム
５ｇ  裏シート
５ｈ  縫糸
６    反射シート
７    面ファスナ
８    背表示部
８ａ  フィルム
８ｂ  縫糸
８ｃ  開口
８ｄ  表示部材
８ｅ  表示
８ｆ  間
９    端部保護生地
【手続補正２】
【補正対象書類名】実用新案登録請求の範囲
【補正対象項目名】全文
【補正方法】変更
【補正の内容】
【実用新案登録請求の範囲】
【請求項１】
作業時に上着として着用され、少なくとも左右前身頃、後身頃及び前記左右前身頃を胸の位置で着脱式に連結する略長方形状の表示部を備える安全ベストにおいて、
前記表示部が、
裏シートに透明な表フィルムを重ね前記左右前身頃の左右方向に対向する重なりの両方又は一方を開口したまま前記表フィルムの残りの辺を前記裏シートに留め、前記開口から前記表フィルムと裏シートの間に表示が記載されたシート状の表示部材を挿抜することを特徴とする安全ベスト。
【請求項２】
前記表示部の一端部が左右前身頃の何れかに一方に縫着され、他端部が面ファスナで着脱自在に他方の前身頃に連結されることを特徴とする請求項１に記載の安全ベスト。